(57)【要約】【課題】対象空間の空気質を向上させる運転が可能な構成において、内部の空気質向上機能のメンテナンスを容易に行うことが可能な空気清浄機を提供する。【解決手段】空気清浄機１は、吸込口１３，１４から吹出口１２をつなぐメイン流路と、メイン流路の下流側の空気を上流側に送るバイパス流路と、によって、空気清浄運転モードを実行する。そして、開閉可能なフラップ１２が吹出口１２を閉じた場合に、メイン流路から吹き出す流れを遮風して、循環流路を流れる循環空気流を形成する。循環流路に配置されている脱臭触媒カートリッジ４９に吸着した臭気成分は、循環流路に配置されているストリーマ放電ユニット６３からの活性種によって分解され、再生される。【選択図】図８
2008036466.tif 000002
【特許請求の範囲】
【請求項１】
対象空間の空気を通過させて清浄化させる空気清浄機（１）であって、
前記対象空間から空気を吸い込む上流側の吸込口（１３，１４）と、前記対象空間に対して空気を吹き出す下流側の吹出口（１２）と、をつなぐ第１流路と、
前記第１流路の上流側の上流空間と、前記上流空間よりも下流側の下流空間と、をつなぐ第２流路と、
前記第１流路において上流側から下流側に向かう第１空気流（Ｆ１）を形成しつつ、前記第２流路において下流空間から上流空間に向かう第２空気流（Ｆ２）を形成する送風部（３１）と、
前記第１流路における前記下流空間よりもさらに下流側であって前記吹出口近傍よりも上流側の吹出遮風位置に位置する場合に前記第１空気流（Ｆ１）を遮風して前記第２流路と前記第１流路の少なくとも一部とによって循環流路を形成し、前記第１空気流（Ｆ１）を遮風しない非吹出遮風位置との間で位置変更可能な吹出遮風部（１２Ｃ）と、
少なくとも前記循環流路もしくは前記循環流路と空間的に連続している位置に配置され、近傍の空気質を変更させる空気質変更部（４１，４３，４４，４９）と、
少なくとも前記循環流路もしくは前記循環流路と空間的に連続している位置に配置され、前記空気質変更部（４１，４３，４４，４９）に所定の機能を発揮させるために前記空気質変更部（４１，４３，４４，４９）に作用を及ぼす作用部（６３）と、
を備えた空気清浄機（１）。
【請求項２】
前記送風部（３１）は、前記吹出遮風部（１２Ｃ）が前記遮風位置に位置している場合に、前記循環流路を循環する循環空気流（Ｆ３）を形成する、
請求項１に記載の空気清浄機（１）。
【請求項３】
前記空気質変更部（４１，４３，４４）は、少なくとも前記第１流路の上流空間と下流空間との間に配置され、
前記作用部（６３）は、少なくとも前記第２流路もしくは前記第２流路と空間的に連続している位置に配置されている、
請求項１または２に記載の空気清浄機（１）。
【請求項４】
前記空気質変更部（４４，４９）は、臭気成分を吸着する脱臭機能を有しており、
前記作用部（６３）は、前記臭気成分を分解可能な活性種を前記循環流路に放出する、
請求項１または２に記載の空気清浄機（１）。
【請求項５】
前記空気質変更部は、酸化防止剤供給機能を有しており、
前記作用部は、前記循環流路の空気に対して酸化防止剤を放出することで前記空気質変更部の酸化防止剤供給機能を補う、
請求項１または２に記載の空気清浄機（１）。
【請求項６】
前記吹出遮風部の位置に関する所定の情報を受付ける受付部（５４ａ，５４ｂ）と、
前記受付部（５４ａ，５４ｂ）の受付けた情報に基づいて、前記吹出遮風部（１２Ｃ）の位置を前記吹出遮風位置か前記非吹出遮風位置の位置に移動させる制御部（５０）と、
をさらに備えた、
請求項１から５のいずれか１項に記載の空気清浄機（１）。
【請求項７】
前記第１流路における前記上流空間よりもさらに上流側であって前記吸込口（１３，１４）近傍よりも対象空間側の吸込遮風位置に位置する場合に前記第１空気流（Ｆ１）を遮風し、前記第１空気流（Ｆ１）を遮風しない非吸込遮風位置との間で位置変更可能な吸込遮風部（１３Ｃ，１４Ｃ）をさらに備えた、
請求項１から６のいずれか１項に記載の空気清浄機（１）。
【発明の詳細な説明】
【技術分野】
【０００１】
本発明は、空気清浄機に関する。
【背景技術】
【０００２】
従来より、室内の空気中に浮遊している臭気成分、塵埃、菌、およびウィルス等を除去することで清浄化させた空気を再び室内に戻す空気清浄機がある。このような空気清浄機では、臭気成分、塵埃およびウィルス等を、オゾンによって分解、死滅、あるいは不活化させることで清浄化を行っている。
【０００３】
これに対して、近年では、例えば、以下に示す特許文献１に記載の空気清浄機にように、空気を清浄化させる段階を複数設けたものが提案されている。例えば、特許文献１に記載の空気清浄機では、プレフィルタによって比較的大きなホコリを捕らえる段階、静電集塵フィルタを用いて静電化された塵埃を収集する段階、空気中に浮遊する塵埃、臭気成分およびウィルス等を吸着部に吸着させつつ、反応活性が高いとされている高速電子、イオン、ヒドロキシラジカルの活性種を発生させて吸着部に送ることで、これらを清浄化させる段階等、複数の清浄段階を備えている。
【特許文献１】特開２００５−３００１１１号公報
【発明の開示】
【発明が解決しようとする課題】
【０００４】
しかし、上述した特許文献１に記載の空気清浄機では、吸込口から吹出口に向かうという１つの流路において、各清浄化の段階が互いに直列関係となるように配設されている。このため、本体内部側に位置する清浄化部分を洗浄する必要がある場合には、わざわざ他の清浄化部分を取り去ってから、目的とする清浄化部分を取り外し、洗浄する必要がある。また、本体内部側に位置する機能部品を交換する必要がある場合にも同様に、わざわざ他の清浄化部分を取り去ってから、目的とする清浄化部分を取り外し、新たな機能部品に交換しなければならない。
【０００５】
本発明は、上述した点に鑑みてなされたものであり、本発明の課題は、対象空間の空気質を向上させる運転が可能な構成において、内部の空気質向上機能のメンテナンスを容易に行うことが可能な空気清浄機を提供することにある。
【課題を解決するための手段】
【０００６】
第１発明に係る空気清浄機は、対象空間の空気を通過させて清浄化させる空気清浄機であって、第１流路、第２流路、送風部、吹出遮風部、空気質変更部および作用部を備えている。第１流路は、対象空間から空気を吸い込む上流側の吸込口と、対象空間に対して空気を吹き出す下流側の吹出口と、をつなぐ流路である。第２流路は、第１流路の上流側の上流空間と、上流空間よりも下流側の下流空間と、をつなぐ流路である。送風部は、第１流路において上流側から下流側に向かう第１空気流を形成しつつ、第２流路において下流空間から上流空間に向かう第２空気流を形成する。吹出遮風部は、第１流路における下流空間よりもさらに下流側であって吹出口近傍よりも上流側の吹出遮風位置に位置する場合に第１空気流を遮風して第２流路と第１流路の少なくとも一部とによって循環流路を形成する。そして、この吹出遮風部は、第１空気流を遮風する吹出遮風位置と、第１空気流を遮風しない非吹出遮風位置との間で位置変更が可能である。空気質変更部は、少なくとも循環流路もしくは循環流路と空間的に連続している位置に配置され、近傍の空気質を変更させる。作用部は、少なくとも循環流路もしくは循環流路と空間的に連続している位置に配置され、空気質変更部に所定の機能を発揮させるために空気質変更部に作用を及ぼす。なお、空気質変更部に発揮させる所定の機能としては、空気質変更部が予め備えている機能の向上であってもよいし、別異の機能を付加することであってもよい。また、空気質の向上としては、空気中の集塵、細菌、臭気成分等の人間が不快に感じる成分を除去することだけでなく、ビタミン等を対象空間に放出する等人間が快適に感じる成分を空気中に含ませることであってもよい。また、ここでの遮風部は、例えば、吹出口を閉じたり開いたりする、フラップ等が含まれる。
【０００７】
ここでは、吹出遮風部が、非吹出遮風位置に位置している状態で、送風部が第１空気流を形成し、作用部が作用を及ぼして空気質変更部が機能することで、対象空間の空気質を向上化させる空気質向上運転を行うことができる。そして、吹出遮風部が、吹出遮風位置に位置している状態で、第２流路を介して上流側に戻る第２空気流により循環流路を循環する流れが形成されて、作用部が作用を及ぼして空気質変更部が機能することで、空気清浄機の内部の空気質向上機能を効率的にメンテナンスする内部循環運転を行うことができる。
【０００８】
そして、これらの空気質向上運転と内部循環運転とは、吹出遮風部の位置を吹出遮風位置に移動させたり、非吹出遮風位置に移動させたりするだけで切り換えることができる。
【０００９】
これにより、遮風部の位置を変更するだけで、対象空間の空気質を向上させる運転が可能な構成において、内部の空気質向上機能のメンテナンスを容易に行うことが可能になる。
【００１０】
第２発明に係る空気清浄機は、第１発明に係る空気清浄機であって、送風部は、吹出遮風部が遮風位置に位置している場合に、循環流路を循環する循環空気流を形成する。
【００１１】
ここでは、空気質変更部と作用部とは循環流路に配置されており、この循環流路において循環空気流が形成されるため、作用部は空気質変更部に対してより確実に作用を及ぼすことが可能になる。
【００１２】
第３発明に係る空気清浄機は、第１発明または第２発明に係る空気清浄機であって、空気質変更部は、少なくとも第１流路の上流空間と下流空間との間に配置されている。そして、作用部は、少なくとも第２流路もしくは第２流路と空間的に連続している位置に配置されている。
【００１３】
ここでは、第２流路には、第１流路を通過して清浄化された空気を主として通過させる。このため、第２流路もしくは第２流路と空間的に連続している位置に配置されている作用部近傍は、ある程度清浄化された空気が通過している。
【００１４】
これにより、第２流路を、内部循環運転のための流路の一部として用いつつ、近傍を流れる空気の清浄度が要求されるような作用部を配置するための流路として用いることが可能になる。
【００１５】
ここで、近傍を流れる空気の清浄度が要求されるような作用部としては、例えば、活性種を生起させるためのプラズマ放電を行う電極等が含まれる。このような電極の周囲を清浄されていない空気が通過する場合には、人体から放出される硝酸アンモニウムや集塵等の汚れが電極に付着してしまい、活性種を生起させることが困難になる。これに対して、上述のように、第３発明に係る空気清浄機では、電極近傍を通過する空気が清浄化されているため、このような汚れの付着の問題が生じにくい。
【００１６】
第４発明に係る空気清浄機は、第１発明または第２発明に係る空気清浄機であって、空気質変更部は、臭気成分を吸着する脱臭機能を有している。そして、作用部は、臭気成分を分解可能な活性種を循環流路に放出する。
【００１７】
ここでの脱臭機能を有する空気質変更部は、臭気成分を吸着していくことで、徐々に脱臭能力が低下していくことがある。
【００１８】
これに対して、第４発明の空気清浄機では、作用部によって循環流路に放出される活性種が、循環流路を通じて、脱臭機能を有する空気質変更部にまで供給される。このため、空気質変更部に付着している臭気成分は、活性種によって分解される。
【００１９】
これにより、空気質変更部の有する脱臭機能を再生させることが可能になる。
【００２０】
第５発明に係る空気清浄機は、第１発明または第２発明に係る空気清浄機であって、空気質変更部は、酸化防止剤供給機能を有している。そして、作用部は、循環流路の空気に対して酸化防止剤を放出することで空気質変更部の酸化防止剤供給機能を補う。ここでの「酸化防止剤」としては、例えば、ｄ−α−トコフェロール等のビタミンＥを含むビタミンや、ガンマーアミノ酪酸やテアニン（Ｎγ−エチルＬ−グルタミン、γ−(エチルアミド)Ｌ−グルタミン酸）等のアミノ酸や、カテキン（３−ヒドロキシフラバノン）等のポリフェノール類や、プロアントシアニジン等の抗酸化剤等が含まれる。
【００２１】
ここでは、内部循環運転の際に空気質変更部に酸化防止剤を補給させておくことで、空気質向上運転を行う際に、空気質変更部を通過する空気に対して酸化防止剤を効果的に含ませることが可能になる。
【００２２】
なお、空気質変更部において保持されている酸化防止剤が減少した場合であっても、内部循環運転により、酸化防止剤を再度補給させることができる。
【００２３】
第６発明に係る空気清浄機は、第１発明から第５発明のいずれかに係る空気清浄機であって、受付部と、制御部とをさらに備えている。受付部は、吹出遮風部の位置に関する所定の情報を受付ける。ここでは、受付部は、例えば、空気質向上運転を行うという情報は吹出遮風部を吹出遮風位置に位置させる情報として受け付け、内部循環運転を行うという情報は吹出遮風部を非吹出遮風位置に位置させる情報として受付ける。また、制御部は、受付部の受付けた情報に基づいて、吹出遮風部の位置を吹出遮風位置か非吹出遮風位置に移動させる。
【００２４】
ここでは、受付部が受付けた所定の情報によって制御部が吹出遮風部を移動させるため、ユーザが受付部に対して所定の情報を入力するだけで、空気質向上運転と内部循環運転とを自動的に選択して実行することができる。
【００２５】
第７発明に係る空気清浄機は、第１発明から第６発明のいずれかに係る空気清浄機であって、吸込遮風部をさらに備えている。この吸込遮風部は、第１流路における上流空間よりもさらに上流側であって吸込口近傍よりも対象空間側の吸込遮風位置に位置する場合に第１空気流を遮風する。また、この吸込遮風部は、吸込遮風位置と、第１空気流を遮風しない非吸込遮風位置と、の間で位置変更が可能である。
【００２６】
ここでは、吸込遮風部の位置が、吸込遮風位置と非吸込遮風位置との間で移動することで、吸込口からの空気を遮風したり取り込んだり選択的に行うことができる。ここで、吹出遮風部が吹出遮風位置に位置する状態で、吸込遮風部の位置を吸込遮風位置に位置させることで、循環流路に対して対象空間の汚れた空気が取り込まれることなく、略一定の空気量を内部で循環させることができる。
【００２７】
これにより、循環流路に汚れた空気を取り込むことなく、密閉性が向上された循環流路において効率的に内部循環運転を行うことが可能になる。
【発明の効果】
【００２８】
第１発明の空気清浄機では、対象空間の空気質を向上させる運転が可能な構成において、内部の空気質向上機能のメンテナンスを容易に行うことが可能になる。
【００２９】
第２発明の空気清浄機では、作用部は空気質変更部に対してより確実に作用を及ぼすことが可能になる。
【００３０】
第３発明の空気清浄機では、第２流路を、内部循環運転のための流路の一部として用いつつ、近傍を流れる空気の清浄度が要求されるような作用部を配置するための流路として用いることが可能になる。
【００３１】
第４発明の空気清浄機では、空気質変更部の有する脱臭機能を再生させることが可能になる。
【００３２】
第５発明の空気清浄機では、内部循環運転の際に空気質変更部に酸化防止剤を補給させておくことで、空気質向上運転を行う際に、空気質変更部を通過する空気に対して酸化防止剤を効果的に含ませることが可能になる。
【００３３】
第６発明の空気清浄機では、ユーザが受付部に対して所定の情報を入力するだけで、空気質向上運転と内部循環運転とを自動的に選択して実行することができる。
【００３４】
第７発明の空気清浄機では、循環流路に汚れた空気を取り込むことなく、密閉性が向上された循環流路において効率的に内部循環運転を行うことが可能になる。
【発明を実施するための最良の形態】
【００３５】
以下、図面に基づいて、本発明に係る空気清浄機の実施形態について説明する。
【００３６】
［空気清浄機１の構成］
本発明の一実施形態に係る空気清浄機１を図１に示す。この空気清浄機１は、室内の空気を清浄に保ち室内の快適性を向上させるために、室内の床に設置される床置き型空気清浄機である。空気清浄機１は、本体部２とストリーマ放電ユニット６３（図１１、図１２参照）とを備える。本体部２は、前後に分割可能とされており、後側に第１本体部３が設けられ、前側に第２本体部４が設けられる。ストリーマ放電ユニット６３は、正面視において、本体部２の右上方に、前後方向に延びるように位置している。図２は、正面パネル２１を取り去った状態での外観斜視図である。
【００３７】
図３および図４は、後述するフラップ１２Ｃの開閉状態を示す図であり、図３では、空気清浄運転モードにおいてフラップ１２Ｃが「開」の状態となっている様子、図４では、内部清浄運転モードにおいてフラップ１２Ｃが「閉」の状態となっている様子、をそれぞれ示している。
【００３８】
＜第１本体部３＞
第１本体部３は、図５に示すように、第１本体ケーシング１１、ファンモータ３０、送風ファン３１（送風部）、ユニット収納部Ｂ、光触媒フィルタ４３（図６参照）、プラズマ触媒フィルタ４４（図６参照）を有する。なお、図５は、光触媒フィルタ４３およびプラズマ触媒フィルタ４４が取り外された状態の第１本体部３の正面図である。
【００３９】
〔第１本体ケーシング１１〕
第１本体ケーシング１１は、ファンモータ３０、送風ファン３１、ユニット収納部Ｂ、光触媒フィルタ４３、プラズマ触媒フィルタ４４等を内部に収納しており、図１、図３に示すように、吹出口１２と、フラップ１２Ｃと、下方吸込口１３と、側面吸込口１４とを有している。吹出口１２は、第１本体ケーシング１１の上面部の背面側端部に設けられる。吹出口１２は、清浄化された空気を空気清浄機１から上方に向かって吹き出すための開口である。この吹出口１２には、「開」状態を示す図３および「閉」状態を示す図４のように、フラップ１２Ｃが取り付けられている。このフラップ１２Ｃは、板状部材であって、一端面を軸に回転することで吹出口１２を開閉する。下方吸込口１３と側面吸込口１４とは、室内の空気を空気清浄機１内に吸い込むための略矩形の開口である。下方吸込口１３は、吹出口１２が設けられる面と同じ第１本体ケーシング１１の下方の正面側端部に設けられる。下方吸込口１３の横方向の長さは、正面パネル２１の横方向の長さと略同一である。側面吸込口１４は、第１本体ケーシング１１の左右の側面部の正面側にそれぞれ設けられる一対の開口である。
【００４０】
なお、第１本体ケーシング１１は、後述する正面パネル２１と共に、本体ケーシング６を構成している。本体ケーシング６の内部には、吸込口１３，１４を通って室内から吸い込まれ、空気清浄ユニット４０において清浄化され、吹出口１２から室内へと吹き出される空気が通るメイン空気流路と、吹出口１２近傍における空気を上流側に戻すバイパス空気流路と、が設けられている。
【００４１】
ここで、フラップ１２Ｃが「開」状態である場合には、図３、図６および図７（ａ）、（ｂ）、（ｃ）において示すように、このメイン空気流路を流れるメイン空気流Ｆ１およびバイパス空気流路を流れるバイパス空気流Ｆ２が送風ファン３１によって生成されることで、空気清浄運転モードが実行される。ここで、図７（ａ）は空気清浄機１の正面概略図、図７（ｂ）は空気清浄機１の右側面概略図、図７（ｃ）は空気清浄機１の上面概略図をそれぞれ示している。
【００４２】
なお、送風ファン３１よりも上流側においては、メイン空気流路は概ね前方から後方に向けて流れており、以下、「前方」とは「メイン空気流路のメイン空気流の流れ方向における上流側」を意味し、「後方」とは「メイン空気流路のメイン空気流の流れ方向における下流側」を意味する。すなわち、バイパス空気流路を流れるバイパス空気流は、概ね、後方から前方に向けて流れていることになる。
【００４３】
ここで、図３、図６および図７（ａ）、（ｂ）、（ｃ）において示すように、メイン空気流路を流れるメイン空気流Ｆ１は、下方吸込口１３および側面吸込口１４から吸い込まれた空気を清浄化させて、吹出口１２から吹き出す空気流である。また、バイパス空気流路を流れるバイパス空気流Ｆ２は、吹出口１２の近傍において上方に流れ、ストリーマ放電ユニット６３が収納するユニット収納部Ｂに収納された状態で後方から前方に向けて流れ、後述するプラズマイオン化部４２において正面略中央近傍まで流れた後、下降していき、後述するプレフィルタ４１の前方まで導かれる。
【００４４】
また、フラップ１２Ｃが「閉」状態である場合には、図４、図８および図９（ａ）、（ｂ）、（ｃ）において示すように、このバイパス流路とメイン空気流路の一部とによって循環流路が形成され、この循環流路を流れる循環空気流Ｆ３が送風ファン３１によって生成されることで、内部清浄運転モードが実行される。ここで、図９（ａ）は空気清浄機１の正面概略図、図９（ｂ）は空気清浄機１の右側面概略図、図９（ｃ）は空気清浄機１の上面概略図をそれぞれ示している。
【００４５】
〔送風ファン３１およびファンモータ３０〕
図５、図６に示す送風ファン３１およびファンモータ３０は、メイン空気流路を流れるメイン空気流Ｆ１およびバイパス空気流路を流れるバイパス空気流Ｆ２を生成する。送風ファン３１としては、遠心ファンを採用している。このため、送風ファン３１は、回転軸方向から空気を吸い込み、回転中心から半径方向外側に向かって空気を吹き出す。ファンモータ３０は、送風ファン３１を回転駆動する。ファンモータ３０としては、インバータ回路により周波数制御されるインバータモータを採用している。
【００４６】
送風ファン３１の上流側の第１空間には、後述する空気清浄ユニット４０（図６参照）が収納される。送風ファン３１の下流側の第２空間には、ファンモータ３０、送風ファン３１および送風ファン３１の側面、すなわち、送風ファンの回転軸を中心とする円周方向に沿って形成されたスクロール３３が収納されている。そして、送風ファン３１から吹き出される空気が、スクロール３３に沿って吹出口１２から室内へ送り出される。
【００４７】
〔光触媒フィルタ４３〕
光触媒フィルタ４３は、図６に示すように、プリーツ状に形成されており、静電フィルタおよびチタンアパタイト担持フィルタを張り合わせて形成されている。なお、この光触媒フィルタ４３は、静電フィルタが前側に、チタンアパタイト担持フィルタが後側に面するように配置される。静電フィルタは、後述するプラズマイオン化部４２を通過する際に帯電させられた塵埃などを吸着する。チタンアパタイト担持フィルタは、静電フィルタを通過した塵埃などを吸着する。このチタンアパタイト担持フィルタは、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット６３から供給される活性種により光触媒機能が活性化され、ウィルスやカビ菌、細菌などを不活化または死滅させる。
【００４８】
また、この光触媒フィルタ４３は、プリーツ状に形成されているため、折り目に合わせて容易に折り畳むことが可能である。このため、図２に示すように、光触媒フィルタ４３は、折り畳んだ状態で、上方に形成された交換用フィルタ収納部Ａに収納される。
【００４９】
〔プラズマ触媒フィルタ４４〕
プラズマ触媒フィルタ４４は、送風ファン３１の前方であり、且つ、光触媒フィルタ４３の後方に配置されている。すなわち、プラズマ触媒フィルタ４４は、送風ファン３１と光触媒フィルタ４３との間に配置されている。プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００５０】
〔ユニット収納部Ｂ〕
ユニット収納部Ｂは、図１０に示すように、ストリーマ放電ユニット６３を取り外し自在に収納し、バイパス空気流Ｆ２の流れるバイパス空気流路の一部を構成する。このユニット収納部Ｂは、ユニット収納本体Ｂ１と、ユニット収納本体Ｂ１に対して開閉自在に取り付けられるカートリッジ収納部Ｂ２と、によって構成されている。
【００５１】
このカートリッジ収納部Ｂ２には、脱臭触媒カートリッジ４９が収納される。このカートリッジ収納部Ｂ２は、図１０に示すように、開閉部を開けた状態で、脱臭触媒カートリッジ４９を交換することが可能になっている。カートリッジ収納部Ｂ２は、脱臭触媒カートリッジ４９が収納されて閉じた状態において、ユニット収納本体Ｂ１のバイパス空気流路と空気の往来が可能となるように、脱臭用開口ＢＯが設けられている。これにより、バイパス空気流路を流れる空気を対象として臭気成分を吸着して分解することで、脱臭する。
【００５２】
なお、この脱臭触媒カートリッジ４９は、一定期間以上使用すると、有効な吸着表面積が減少し、脱臭効果が低下してくる。このため、表面に吸着した臭気成分を分解して再生する処理、もしくは、寿命がつきた場合には交換する処理が必要となっている。
【００５３】
ここでは、ストリーマ放電ユニット６３から放出される活性種は、後述する４つの連通孔７２（図１２参照）、および、脱臭用開口ＢＯ（図９参照）を通じて、ユニット収納本体Ｂ１のバイパス空気流路から脱臭触媒カートリッジ４９に対して、供給される。このため、脱臭効果が低下する原因となる付着した臭気成分は、この活性種によって分解される。これにより、脱臭触媒カートリッジ４９は、臭気成分の吸着能力が回復し、再び脱臭剤として使用できるようになって再生される。ここで、フラップ１２Ｃが「開」状態である空気清浄運転モードの場合においても、脱臭触媒カートリッジ４９は再生されるが、フラップ１２Ｃが「閉」状態である内部清浄運転モードの場合には、循環流路を流れる循環空気流Ｆ３においてバイパス流路を通過する空気量が増大するため、より効果的に脱臭触媒カートリッジ４９を再生させることができる。
【００５４】
ユニット収納本体Ｂ１には、ストリーマ放電ユニット６３が取り付けられた状態において電気的に接続させて通電状態となるように本体側接触子７５ａ、７５ｂが設けられている。この本体側接触子７５ａ、７５ｂは、金属板から形成されており、第１本体部３に収納された電源回路（図示せず）および電源コード（図示せず）を介して電源に接続される。これにより、本体側接触子７５ａ、７５ｂは、長手方向におよび上下方向に離隔するようにして設けられており、後述する放電ユニット側接触子７１と接触することによって、ストリーマ放電ユニット６３側に電源からの電流を伝達する。ここで、本体側接触子７５ａは、後方側に位置してストリーマ放電電極７０と接触し、本体側接触子７５ｂは前方に位置してアース板７３と接触することになる。なお、ユニット収納本体Ｂ１は、樹脂等の絶縁材料によって形成されている。
【００５５】
＜ストリーマ放電ユニット６３＞
ストリーマ放電ユニット６３は、上述したように、第１本体部３の右上方のユニット収納部Ｂに収納されることで配置され、メイン空気流路の一部を形成する（図２および図５参照）。
【００５６】
ストリーマ放電ユニット６３は、図１１および図１２に示すように、放電ユニットケーシング６９と、放電部８３と、放電ユニット側接触子７１、８１と、を有しており、ストリーマ放電を生起させることにより、光触媒フィルタ４３に供給する活性種を生成してバイパス空気流Ｆ２中に放出する。
【００５７】
〔放電ユニットケーシング６９〕
放電ユニットケーシング６９には、放電部８３が取り付けられる。放電ユニットケーシング６９は、樹脂から形成された箱状の部材であり、ユニット収納部Ｂに合致する外形を有している。放電ユニットケーシング６９は、上面および右側面が開口しており、放電部８３の前方、後方、左側面、下面を覆っている。
【００５８】
放電ユニットケーシング６９は、図１０に示すように、ユニット収納部Ｂの内部に挿入され、ユニット収納部Ｂに着脱自在に取り付けられる。放電ユニットケーシング６９は、ユニット収納部Ｂに取り付けられることによって、ユニット収納部Ｂと共に放電部８３の周囲を覆い、バイパス空気流路を形成する。
【００５９】
放電ユニットケーシング６９の背面の左側面（図１２で示す上方）には、接触子カバー７１Ｇ、８１Ｇが長手方向におよび上下方向に互いに離隔するようにして、２箇所に設けられている。この接触子カバー７１Ｇ、８１Ｇは、ストリーマ放電ユニット６３がユニット収納部Ｂに挿入される際に、ユニット収納部Ｂ側の部材とスライドすることで前後方向に挿入をガイドする機能を有している。
【００６０】
放電ユニット側接触子７１、８１は、図１２に示すように、それぞれ接触子カバー７１Ｇ、８１Ｇの位置に対応する位置に長手方向におよび上下方向に離隔するようにして設けられている。ストリーマ放電ユニット６３が取り付けられた状態では、図１２で示す左側は空気清浄機１の前方となり、右側が後方となる。放電ユニット側接触子７１および放電ユニット側接触子８１は、上述したように、接触子カバー７１Ｇ、８１Ｇによってガイドされつつ、ストリーマ放電ユニット６３がユニット収納部Ｂに挿入された状態で、それぞれ本体側接触子７５ａおよび本体側接触子７５ｂと接触する。
【００６１】
また、放電ユニットケーシング６９の下面の長手方向における中間部分には、複数の微少な孔７７が設けられている。さらに、放電ユニットケーシング６９の下面の長手方向における後方部分には、収納時において、上述したユニット収納部Ｂの４つの脱臭用開口ＢＯに対応する位置に、下方に向けて開口した４つの連通孔７２が設けられている。
【００６２】
〔放電部８３〕
放電部８３は、ストリーマ放電を生起させる主要部であり、ストリーマ放電電極７０と、アース板７３とを有する。
【００６３】
（ストリーマ放電電極７０）
ストリーマ放電電極７０は、金属板７０’を切り起こした部分に取り付けられた端子で構成されており、放電電圧が印可されることによってアース板７３との間にストリーマ放電を生じさせる。ストリーマ放電電極７０および金属板７０’は、２つの絶縁支柱７１Ｐを介して放電ユニットケーシング６９に対して、絶縁支柱７１Ｐの内部を通っている螺子７１Ｓ（２つ）によって螺着されている。２つの絶縁支柱７１Ｐのうちの一方には、放電ユニット側接触子７１と接触するようにして螺着されている。これにより、ストリーマ放電ユニット６３がユニット収納部Ｂに取り付けられて、放電ユニット側接触子７１が本体側接触子７５ａと接触した状態では、放電ユニット側接触子７１が螺子７１Ｓを介してストリーマ放電電極７０と電気的に接続された状態になる。これにより、放電ユニット側接触子７１は、本体側接触子７５ａからストリーマ放電電極７０に放電電圧を伝達することができる。
【００６４】
（アース板７３）
アース板７３は、金属板から形成されており、ストリーマ放電電極７０の金属板７０’よりも大きな略長方形の外形を有する。アース板７３は、ストリーマ放電電極７０に対して平行に配置されており、ストリーマ放電電極７０の近くに離れて配置されている。アース板７３は、２つの絶縁支柱８１Ｐを介して放電ユニットケーシング６９に対して、絶縁支柱８１Ｐの内部を通っている螺子８１Ｓ（２つ）によって螺着されている。２つの絶縁支柱８１Ｐのうちの一方には、放電ユニット側接触子８１と接触するようにして螺着されている。これにより、ストリーマ放電ユニット６３がユニット収納部Ｂに取り付けられて、放電ユニット側接触子８１が本体側接触子７５ｂと接触した状態では、放電ユニット側接触子８１が螺子８１Ｓを介してアース板７３と電気的に接続された状態になる。
【００６５】
上述したように、ストリーマ放電電極７０に対応する本体側接触子７５ａが本体の後方に位置することから、ユーザの手が届きにくくなっており、安全性が確保されている。また、ストリーマ放電電極７０およびアース板７３は、それぞれ絶縁支柱７１Ｐ、８１Ｐを介して樹脂で成形された放電ユニットケーシング６９に固定されているため、絶縁性が確保されている。
【００６６】
なお、以上の構成において、放電ユニットケーシング６９は、ストリーマ放電電極７０およびアース板７３が配置される空間と、放電ユニット側接触子７１、８１の接点が配置される空間との間を仕切っている。これにより、放電ユニット側接触子７１、８１の接点は、ストリーマ放電電極７０およびアース板７３が配置された空間から仕切られた空間に配置される。
【００６７】
以上のようにして、ストリーマ放電電極７０から発生される活性種は、バイパス空気流路を流れるバイパス空気流に対して放出される。このストリーマ放電ユニット６３において放出された活性種は、後述するプラズマイオン化部４２の上面ガイド４２Ｇおよび前面ガイド４２Ｈを流れ、プレフィルタ４１の前方に供給される。
【００６８】
＜第２本体部４＞
第２本体部４は、図１、図２に示すように、第１本体部３の前面に着脱自在に取り付けられる。第２本体部４は、正面パネル２１、プレフィルタ４１（図６参照）、プラズマイオン化部４２（図６参照）を有している。
【００６９】
〔正面パネル２１〕
正面パネル２１は、図１に示すように、第２本体部４の前面に設けられている。この正面パネル２１の高さは、空気清浄機１の奥行きより長い構成となっている。また、ここでは、人間の動きを検知して、ＯＮ／ＯＦＦ等を制御するために用いられる人検知センサ（図示せず）による検知が可能なように、半透明部Ｓが設けられている。
【００７０】
〔プレフィルタ４１〕
図６および図１５に示すように、プレフィルタ４１は、フィルタ部４１ａと、仕切通気部４１ｂとが設けられている。
【００７１】
フィルタ部４１ａは、正面パネル２１の後方に設けられており、比較的大きなホコリや塵を除去する。フィルタ部４１ａは、ポリプロピレン（以下、ＰＰという）製の糸状の樹脂網からなるネットと、ネットを保持するフレームとから構成されている。フィルタ部４１ａのネットを構成する繊維には、可視光線型の光触媒とカテキンとが空気側に露出するように担持されている。可視光線型の光触媒は、可視光線により光触媒作用が活性化される酸化チタン等を含んでおり、フィルタ部４１ａに付着する塵埃などに含まれるカビ菌や細菌などの菌やウィルスを除去する。なお、カテキンは、ポリフェノールの一種であって、エピカテキン、エピガロカテキン、エピカテキンガレート、エピガロカテキンガレートなどの総称である。このカテキンは、フィルタ部４１ａに付着する塵埃などに含まれるカビ菌や細菌などの菌の繁殖を抑制したりウィルスを不活化したりする。
【００７２】
仕切通気部４１ｂは、図１５に示すように、プレフィルタ４１の中央に上下に渡って、左右のフィルタ部４１ａを仕切るようにして設けられている。この仕切通気部４１ｂは、前後方向に貫通した孔４１Ｏを複数有している。
【００７３】
〔プラズマイオン化部４２〕
図２に示すように、プラズマイオン化部４２は、プレフィルタ４１の後方に設けられ、第２本体部４の背面に設けられる。プラズマイオン化部４２は、プレフィルタ４１を通過した空気中に浮遊している比較的小さな塵埃を耐電させる。プラズマイオン化部４２は、図１３に示すように、主に、一対の対向電極２１、２２、複数のイオン化線６６（線状電極部）、を有している。また、図１３においては、複数のイオン化線６６のうち一部のイオン化線６６のみに符号を付して他は省略している。
【００７４】
（対向電極２１、２２）
一対の対向電極２１、２２は、図１３に示すように、方形波形状の断面を有する金属板であって、上下に分かれて取り付けられている。対向電極２１、２２は、イオン化線６６に近接して配置されており、イオン化線６６に高圧電流が流されることにより、イオン化線６６との間にコロナ放電を生起させる。
【００７５】
（イオン化線６６）
複数のイオン化線６６は、対向電極２１，２２と共に、プレフィルタ４１を通過した空気中に浮遊している比較的小さな塵埃を耐電させる役割を担う。イオン化線６６は、対向電極２１、２２の前方に配置されている。このイオン化線６６に放電電圧が印可されることによって、イオン化線６６と対向電極２１、２２との間にコロナ放電が生じる。イオン化線６６は、空気経路に交差するように配置されており、空気経路を通過する空気流中に配置される。また、イオン化線６６は、鉛直方向に平行に設けられており、複数のイオン化線６６が水平方向に複数本並んで配置されている。これらのイオン化線６６は、微小径のタングステン線材などによって形成され、塵埃等を帯電させるための放電電極として用いられる。
【００７６】
（上面ガイド４２Ｇ、前面ガイド４２Ｈ）
図１４に示すように、プラズマイオン化部４２の上面には、左右に長く下方に窪んだ溝である上面ガイド４２Ｇが形成されている。この上面ガイド４２Ｇは、プラズマイオン化部４２が第１本体部３に取り付けられることで、第１本体部３によって上面が覆われ、バイパス空気流路の一部を構成する。この上面ガイド４２Ｇの右側は、上述したユニット収納部Ｂの前面側の開口部分から活性種を含んだバイパス空気流Ｆ２が流れ込むようになっている。そして、このように流れ込んだバイパス空気流Ｆ２は、上面ガイド４２Ｇの中央近傍から下方に向かって流れる。
【００７７】
また、図１３、図１６および図１７に示すように、プラズマイオン化部４２の前面の中央近傍には、上下に渡って後方側に窪んで設けられた溝および縁において前面側に突出したリブ４３Ｒによって構成される前面ガイド４２Ｈが設けられている。この前面ガイド４２Ｈは、上述したプレフィルタ４１の仕切通気部４１ｂの輪郭に対応した形状を有している。そして、図１５に示すように、プラズマイオン化部４２のリブ４３Ｒに対してプレフィルタ４１の裏面が当接し、プレフィルタ４１の仕切通気部４１ｂと前面ガイド４２Ｈとの間でバイパス空気流路が形成され、上面ガイド４２Ｇからのバイパス空気流が下方に向かう。
【００７８】
この際、前面ガイド４２Ｈを通過する活性種を含んだ空気によるバイパス空気流Ｆ２は、図１６に示すように、仕切通気部４１ｂの孔４１Ｏを介して、フィルタ部４１ａの前方に向けて放出される。
【００７９】
なお、プラズマイオン化部４２に設けられているリブ４３Ｒは、図１６および図１７に示すように、仕切通気部４１ｂの膨出部分の一部に対応する部分は、後方に向けて窪んでいる窪み部４４Ｒが設けられている。これにより、活性種を含んだバイパス空気流Ｆ２の一部は、プレフィルタ４１の下流側にも提供されることになり、プレフィルタ４１の後方の清浄部に対しても十分に活性種を提供できる。
【００８０】
＜制御部５０＞
空気清浄機１に設けられている制御部５０は、図１８に示すように、制御プログラム、脱臭触媒カートリッジ４９の交換所定時間データ、臭気成分許容量データ等の各種パラメータが格納されるＲＯＭ５０ａ、処理中の変数などを一時的に格納するＲＡＭ５０ｂなどが接続されている。また、制御部５０には、温度センサ５０ｃ、湿度センサ５０ｄ、ダストセンサ５０ｅ、ガスセンサ５０ｆ、フラップ開閉部５１、表示パネル５３、操作パネル５４ａ、リモコン５４ｂ、ファンモータ３０およびストリーマ放電ユニット６３がそれぞれ接続されている。
【００８１】
温度センサ５０ｃ、湿度センサ５０ｄ、ダストセンサ５０ｅ、およびガスセンサ５０ｆの各種センサ類は、各センサの検出信号を制御部５０へ出力する。ダストセンサ５０ｅは、導入される空気中に光を照射し、空気中に含まれる煙、ホコリ、花粉、その他の粒子によって乱射されて受光素子に到達した光量を検出して、粉塵などの粒子濃度を測定することができる。ガスセンサ５０ｆは、活性種により分解された臭気分子および有害ガス成分などから発生したガス濃度を測定することができる。これらの各種センサ類により、脱臭触媒カートリッジ４９の再生状況を判断し再生時間を自動調整することができる。
【００８２】
表示パネル５３は、実行中の運転モード（空気清浄運転モードまたは内部清浄運転モード）、各種センサ５０ｃ〜５０ｆによるモニタ情報、タイマ情報およびメンテナンス情報などを表示する。また、この表示パネル５３は、液晶表示パネル、ＬＥＤ、その他の表示素子またはこれらの組み合わせで構成することが可能である。
【００８３】
ユーザは、操作パネル５４ａおよびリモコン５４ｂを操作することにより、空気清浄機１の運転モード（空気清浄運転モードもしくは内部清浄運転モード）の設定変更等を行うことができる。この操作パネル５４ａやリモコン５４ｂ等から空気清浄運転モードもしくは内部清浄運転モードの設定入力を受付けた制御部５０は、フラップ開閉部５１によって、フラップ１２Ｃを開閉制御する。具体的には、制御部５０は、空気清浄運転モードの指令を受けた場合には、図３に示すように、フラップ開閉部５１によってフラップ１２Ｃを「開」状態となるように制御する。また、制御部５０は、内部清浄運転モードの指令を受けた場合には、図４に示すように、フラップ開閉部５１によって、フラップ１２Ｃを「閉」状態となるように制御する。
【００８４】
さらに、制御部５０は、ファンモータ３０およびストリーマ放電ユニット６３に接続されている。制御部５０は、ユーザの操作や各種センサ５０ｃ〜５０ｆの検出結果などに応じて、ファンモータ３０による風量およびストリーマ放電ユニット６３による活性種の生成に係る放電量を制御することができる。
【００８５】
［空気清浄ユニット４０による空気清浄作用］
この空気清浄機１は、図６、図８に示すように、プレフィルタ４１、プラズマイオン化部４２、光触媒フィルタ４３およびプラズマ触媒フィルタ４４からなる空気清浄ユニット４０（空気清浄部）およびストリーマ放電ユニット６３を備えており、各吸込口（下方吸込口１３、側面吸込口１４）から吸い込まれた室内の空気中に含まれる異物を除去して空気を清浄化する。以下、空気清浄ユニット４０による空気清浄作用について説明する。
【００８６】
下方吸込口１３、側面吸込口１４から吸い込まれた室内の空気は、まずプレフィルタ４１のフィルタ部４１ａを通る。この際、比較的大きなホコリや塵が空気中から除去される。また、プレフィルタ４１に含まれる光触媒とカテキンとの作用により、プレフィルタ４１のフィルタ部４１ａに付着した塵埃などに含まれるカビ菌や細菌などの菌やウィルスの繁殖が抑制され、ウィルスが不活化される。
【００８７】
プレフィルタ４１を通過した空気流は、イオン化線６６と対向電極２１、２２との間を通過する。イオン化線６６と対向電極２１、２２との間に高電圧が印加されると、イオン化線６６と対向電極２１、２２との間に放電が生じる。この結果、イオン化線６６と対向電極２１、２２との間を通過する空気流に含まれる塵埃等がプラス電荷に帯電する。
【００８８】
イオン化線６６と対向電極２１、２２との間を通過した空気流は、光触媒フィルタ４３を通過する。このとき、静電フィルタによって、プラズマイオン化部４２を通過する際に帯電させられた塵埃などが吸着される。また、チタンアパタイト担持フィルタによって、静電フィルタを通過した塵埃などが吸着される。なお、イオン化線６６と対向電極２１、２２とを通過した際に、塵埃に含まれるウィルスや菌なども帯電されているため、チタンアパタイトへのウィルスや菌の吸着効率が高まっている。
【００８９】
光触媒フィルタ４３を通過した空気流は、プラズマ触媒フィルタ４４を通過する。プラズマ触媒フィルタ４４では、光触媒フィルタ４３に吸着されなかった空気中のウィルスや菌などが吸着される。
【００９０】
ここで、空気清浄機１が空気清浄運転モードを実行している場合（図３、図６参照）には、フラップ１２Ｃが「開」状態であり吹出口１２が開いているため、プラズマ触媒フィルタ４４を通過して清浄化されたメイン空気流Ｆ１は、吹出口１２から室内へと吹き出される。また、プラズマ触媒フィルタ４４を通過した空気の一部は、室内へと吹き出されることなく、バイパス空気流路に向けてバイパス空気流Ｆ２となって流れる。
【００９１】
また、空気清浄機１が内部清浄運転モードを実行している場合（図４、図８参照）には、フラップ１２Ｃは「閉」状態であり吹出口１２は閉じているため、循環流路が形成され、プラズマ触媒フィルタ４４を通過して清浄化されたメイン空気流Ｆ１は、吹出口１２から室内へと吹き出されることなく、バイパス空気流路に向けてバイパス空気流Ｆ２となって流れ、循環流路を流れる循環空気流Ｆ３となる。
【００９２】
バイパス空気流路には、上述したように、ストリーマ放電ユニット６３が設けられている。ストリーマ放電ユニット６３においては、ストリーマ放電電極７０とアース板７３との間に直流、交流、またはパルスの放電電圧が印加され、ストリーマ放電電極７０とアース板７３との間にストリーマ放電が生じる。ストリーマ放電が生じると、放電場に低温プラズマが生成され、活性種が放電ユニットケーシング６９内に生起し、バイパス空気流Ｆ２中に放出される。なお、これらの活性種は、エネルギーレベルが非常に高く、光触媒フィルタ４３に到達する前であっても、空気に含まれるアンモニア類や、アルデヒド類、窒素酸化物など小さな有機分子を分解・消臭する能力を有する。
【００９３】
ここで、ストリーマ放電電極７０近傍を通過する空気は、プレフィルタ４１、プラズマイオン化部４２、光触媒フィルタ４３およびプラズマ触媒フィルタ４４において一端清浄化されている。このため、ストリーマ放電電極７０の端子部分に集塵や硝酸アンモニウム等が付着してしまうことを防ぐことができる。これにより、ストリーマ放電を安定的に発生させることができる。
【００９４】
そして、このストリーマ放電ユニット６３から生起した活性種は、上述したように、４つの連通孔７２および脱臭用開口ＢＯを通じて（図１０、図１２参照）、脱臭触媒カートリッジ４９に供給され、脱臭触媒カートリッジ４９を再生させる。具体的には、供給される活性種が、脱臭触媒カートリッジ４９の表面に吸着されている臭気成分を分解し、脱臭触媒カートリッジ４９による臭気成分の吸着能力を向上させることで再生させる。
【００９５】
このようにして活性種を含有したバイパス空気流Ｆ２は、バイパス空気流路を通過して、プレフィルタ４１の前方および後方に提供され、プレフィルタ４１に付着した塵埃等に作用して清浄化させることができる。
【００９６】
そして、活性種を含んだ空気は、イオン化線６６と対向電極２１、２２との間を通過し、光触媒フィルタ４３を通過する。このとき、静電フィルタによって、プラズマイオン化部４２を通過する際に帯電させられた塵埃などが吸着されている。そして、チタンアパタイト担持フィルタによって、静電フィルタを通過した塵埃などが吸着されるこの際、チタンアパタイトは、ストリーマ放電ユニット６３から供給された活性種により光触媒機能が活性化されており、ウィルスやカビ菌、細菌などを不活化または死滅させることができる。
【００９７】
さらに、プラズマ触媒フィルタ４４では、光触媒フィルタ４３に吸着されなかった空気中のウィルスや菌などが吸着されており、活性種を含んだ空気により活性化された二酸化チタンによって、これらの菌やウィルスなどが死滅あるいは不活化される。
【００９８】
ここで、空気清浄機１が空気清浄運転モードを実行している場合（図３、図６参照）には、上述したように、フラップ１２Ｃが「開」状態であり吹出口１２が開いているため、プラズマ触媒フィルタ４４を通過して活性種によっていっそう清浄化されたメイン空気流Ｆ１は、吹出口１２から室内へと吹き出される。また、プラズマ触媒フィルタ４４を通過した空気の一部は、室内へと吹き出されることなく、バイパス空気流路に向けてバイパス空気流Ｆ２となって流れ、これを繰り返す。
【００９９】
また、空気清浄機１が内部清浄運転モードを実行している場合（図４、図８参照）には、上述したように、フラップ１２Ｃは「閉」状態であり吹出口１２は閉じているため、循環流路が形成され、プラズマ触媒フィルタ４４を通過して活性種によっていっそう清浄化されたメイン空気流Ｆ１は、吹出口１２から室内へと吹き出されることなく、バイパス空気流路に向けてバイパス空気流Ｆ２となって流れ、循環流路を流れる循環空気流Ｆ３となって再度循環することになる。ここで、循環流路を再度循環する空気は、光触媒フィルタ４３等でウィルスや菌が低減されているだけでなく、活性種によってプラズマ触媒フィルタ４４で菌やウィルスなどが死滅あるいは不活化され、前回通過した時点よりも清浄度が進んでいる。このように、内部清浄運転モードでは、循環する度に清浄度が向上し、脱臭触媒カートリッジ４９における臭気成分の吸着速度よりも、活性種によって分解される速度の方が早く、脱臭触媒カートリッジ４９の再生度合いが向上していくことになる。また、内部清浄運転モードでは、脱臭触媒カートリッジ４９の再生と同様に、空気清浄ユニット４０を構成するプレフィルタ４１、プラズマイオン化部４２、光触媒フィルタ４３およびプラズマ触媒フィルタ４４の各部についても、活性種が供給され、循環する度に清浄度の高い空気が流れ、再生度合いが向上していく。
＜本実施形態の空気清浄機１の特徴＞
この空気清浄機１では、ユーザは、操作パネル５４ａやリモコン５４ｂを操作して、空気清浄運転モードか、内部清浄運転モードかを選択入力するだけで、制御部５０がフラップ開閉部５１によって自動的にフラップ１２Ｃを回転させて、吹出口１２を開閉させる。これにより、室内空気を清浄させたい場合と、空気清浄機１の内部を清浄化させたい場合とを、簡易な操作で自動的に切り換えることができる。
＜本実施形態の空気清浄機の変形例＞
（Ａ）
上記実施形態の空気清浄機１では、吹出口１２を開閉可能なフラップ１２Ｃが設けられた構成について例に挙げて説明した。
【０１００】
しかし、本発明はこれに限られるものではなく、例えば、図１９に示すように、吹出口１２だけでなく、下方吸込口１３を開閉可能なフラップ１３Ｃ、および、側面吸込口１４を開閉可能なフラップ１４Ｃをそれぞれ設けるようにしてもよい。
【０１０１】
これにより、内部清浄運転モードの際に、吹出口１２をフラップ１２Ｃで閉じ、下方吸込口１３をフラップ１３Ｃで閉じ、さらに側面吸込口１４をフラップ１４Ｃで閉じることで、吹出だけでなく吸込も閉ざして、空気清浄機１の内部の循環流路のみで循環空気量を略一定として活性種を循環させることができる。
【０１０２】
これにより、循環流路に対象空間の汚れた空気が取り込まれることなく、密閉性が向上された循環流路において効率的に内部清浄運転モードを実行することができる。さらに、清浄対象となる空気の量が一定であるため、より効率的に内部清浄化させることができる。
【０１０３】
（Ｂ）
上記実施形態の空気清浄機１のフラップ１２Ｃでは、吹出口１２の外側に配置され、一端面を軸に回転することで吹出口１２を開閉する構造を例に挙げて説明した。
【０１０４】
しかし、本発明はこれに限られるものではなく、例えば、回転により開閉するのではなく、フラップの面方向にスライドすることにより吹出口１２を開閉するような構造としてもよい。また、フラップ１２Ｃの配置は、吹出口１２の外側に限られず、例えば、吹出口１２の内側に配置させてもよい。
【０１０５】
（Ｃ）
上記実施形態の空気清浄機１では、脱臭触媒カートリッジ４９を循環流路のそばに配置して、臭気成分を低減させる場合について例に挙げて説明した。
【０１０６】
しかし、本発明はこれに限られるものではなく、脱臭触媒カートリッジ４９の代わりに、例えば、カートリッジ収納部Ｂ２に、空気中に酸化防止剤を供給する酸化防止剤カートリッジ等を搭載するようにしてもよい。ここでは、上記実施形態における内部清浄運転モードのような循環流路を循環させる運転を行うことで、空気清浄ユニット４０を構成するプレフィルタ４１、プラズマイオン化部４２、光触媒フィルタ４３およびプラズマ触媒フィルタ４４の各部について酸化防止剤を供給することができる。これにより、内部清浄運転モードが解除され、空気清浄運転モードとなった場合に、担持されている酸化防止剤を放出することで、室内の空気を清浄させるだけでなく、吹出口１２から室内に吹き出される空気に対して酸化防止剤を効果的に含ませることができる。なお、担持されている酸化防止剤が減少してきた場合であっても、再度新たなカートリッジに効果して内部清浄運転モードを実行することにより、酸化防止剤を再度補給させることができる。
【０１０７】
また、ここでの酸化防止剤としては、例えば、ｄ−α−トコフェロール等のビタミンＥを含むビタミンや、ガンマーアミノ酪酸やテアニン（Ｎγ−エチルＬ−グルタミン、γ−(エチルアミド)Ｌ−グルタミン酸）等のアミノ酸や、カテキン（３−ヒドロキシフラバノン）等のポリフェノール類や、プロアントシアニジン等の抗酸化剤等であってもよい。
【０１０８】
また、酸化防止剤に限られず、人体に有益な物質であって、空気清浄機１のプレフィルタ４１、光触媒フィルタ４３およびプラズマ触媒フィルタ４４等で担持させることができ、空気清浄運転モードの際となった場合に放出させることができる成分を採用するようにしてもよい。
【０１０９】
また、ここで、上述のようなビタミン等の人体に有益な物質を空気清浄機１のプレフィルタ４１、光触媒フィルタ４３およびプラズマ触媒フィルタ４４等において担持させるように内部清浄運転モードを実行する場合には、その内部清浄運転モード時にストリーマ放電ユニット６３に対する電力の供給を停止して、活性種の生起を一時的に停止するようにしてもよい。これにより、上述した人体に有益な物質が、生起される活性種によって死滅されるような事態を回避することができるようになる。
【０１１０】
（Ｄ）
上記実施形態の空気清浄機１では、活性種がプレフィルタ４１の前方および後方に供給される場合について例に挙げて説明した。
【０１１１】
しかし、本発明はこれに限られるものではなく、例えば、プレフィルタ４１の後方のみであってもよく、プラズマイオン化部４２の後方であっても、活性種の安定的な発生による効果を得ることができる。
【０１１２】
（Ｅ）
また、本発明はこれに限られるものではなく、例えば、活性種を吸着させる脱臭フィルタを配置し、その下流側にバイオ抗体フィルタをオプションとして配置するようにしてもよい。これにより、脱臭フィルタが活性種を吸着することによって臭気成分を分解しつつ、バイオ抗体を生かせたままで機能させることができる。
【０１１３】
（Ｆ）
上記実施形態の空気清浄機１では、吹出口１２近傍から流れ出ようとする空気のうちの一部がバイパス空気流Ｆ２となってユニット収納部Ｂの開口を通じてストリーマ放電ユニット６３に供給される場合について例に挙げて説明した。
【０１１４】
しかし、本発明はこれに限られるものではなく、例えば、送風ファン３１から吹出口１２に向かう通路とは別個に、図２０に示すように、送風ファン３１からの空気流れを直接ユニット収納部Ｂおよびストリーマ放電ユニット６３に供給できる延出通路Ｄを採用した構成としてもよい。
【０１１５】
（Ｇ）
上記実施形態の空気清浄機１では、送風ファン３１は、吹出口１２の近傍の最も下流側に一つ配置される場合について例に挙げて説明した。
【０１１６】
しかし、本発明はこれに限られるものではなく、例えば、送風ファン３１の配置は、上記実施形態のメイン空気流Ｆ１およびバイパス空気流Ｆ２の両方が形成されるような配置であればよい。例えば、空気清浄ユニット４０を構成するプレフィルタ４１、プラズマイオン化部４２、光触媒フィルタ４３およびプラズマ触媒フィルタ４４のいずれかの間に配置するようにしてもよい。
【０１１７】
また、送風ファン３１は、１つでなくてもよく、主としてメイン空気流Ｆ１を形成させるための送風ファンと、主としてバイパス空気流Ｆ２を形成させるための送風ファンと、の２つを設けた構成としてもよい。この場合には、バイパス空気流Ｆ２を生じさせる送風ファンは、バイパス空気流路の途中において、バイパス空気流Ｆ２を強制的に生じさせるように配置してもよい。
【産業上の利用可能性】
【０１１８】
本発明を利用すれば、空気質を向上させる運転が可能な構成において、内部の空気質向上機能のメンテナンスを容易に行うことができるため、特に、再生を要する空気質向上機能部材を備えた空気清浄機において有用である。
【図面の簡単な説明】
【０１１９】
【図１】本発明の実施形態に係る空気清浄機の外観斜視図である。
【図２】正面パネルを取り除いた状態での空気清浄機の外観斜視図である。
【図３】フラップが開いている運転状態での背面側の外観斜視図である。
【図４】フラップが閉じている停止・内部洗浄状態での背面側の外観斜視図である。
【図５】空気清浄機のファンの位置を示す図である。
【図６】メイン空気流とバイパス空気流による空気清浄の説明図である。
【図７】（ａ）メイン空気流路とバイパス空気流路を示す正面図である。          （ｂ）メイン空気流路とバイパス空気流路を示す側面図である。          （ｃ）メイン空気流路とバイパス空気流路を示す上面図である。
【図８】循環空気流による内部清浄の説明図である。
【図９】（ａ）循環空気流路を示す正面図である。          （ｂ）循環空気流路を示す側面図である。          （ｃ）循環空気流路を示す上面図である。
【図１０】ユニット収納部の構成図である。
【図１１】ストリーマ放電ユニットの外観斜視図である。
【図１２】ストリーマ放電ユニットの上面視断面図である。
【図１３】プラズマイオン化部の背面斜視図である。
【図１４】プラズマイオン化部の上面図である。
【図１５】プラズマイオン化部にプレフィルタが装着された際の正面図である。
【図１６】プレフィルタの要部拡大図である。
【図１７】プラズマイオン化部の要部拡大図である。
【図１８】制御部に関するブロック図である。
【図１９】変形例（Ａ）に係る空気清浄機のフラップを示す図である。
【図２０】変形例（Ｆ）に係る延出通路を示す図である。
【符号の説明】
【０１２０】
１    空気清浄機
１２    吹出口
１３    下方吸込口
１４    側面吸込口
３１    送風ファン
４０    空気清浄ユニット（第１清浄処理部）
４１    プレフィルタ
４１ａ    フィルタ部（第１通過部）
４１ｂ    仕切通過部（フィルタ仕切部）
４１Ｏ    孔（第２通過部）
４２    プラズマイオン化部（下流部材）
４２    光触媒フィルタ
４４    プラズマ触媒フィルタ
６３    ストリーマ放電ユニット
【図１】
2008036466.tif 000003
【図２】
2008036466.tif 000004
【図３】
2008036466.tif 000005
【図４】
2008036466.tif 000006
【図５】
2008036466.tif 000007
【図６】
2008036466.tif 000008
【図７】
2008036466.tif 000009
【図８】
2008036466.tif 000010
【図９】
2008036466.tif 000011
【図１０】
2008036466.tif 000012
【図１１】
2008036466.tif 000013
【図１２】
2008036466.tif 000014
【図１３】
2008036466.tif 000015
【図１４】
2008036466.tif 000016
【図１５】
2008036466.tif 000017
【図１６】
2008036466.tif 000018
【図１７】
2008036466.tif 000019
【図１８】
2008036466.tif 000020
【図１９】
2008036466.tif 000021
【図２０】
2008036466.tif 000022